(57)【要約】      （修正有）【課題】待ち時間に発電をすることができる動線規制装置を提供すること。【解決手段】動線規制装置１が、人の動線を規制するためのパーテションポール５と、パーテションポール５に設置されて、発電用の作用力を受けるための作用部材３を備えていること。【選択図】図１
0003216333.tif 000002
【実用新案登録請求の範囲】
【請求項１】
発電用の作用力を受けるための作用部材を備えている、動線規制装置。
【請求項２】
前記作用力により発電する発電機を更に備えている、請求項１に記載の動線規制装置。
【請求項３】
前記発電機は前記作用部材内に設けられている、請求項２に記載の動線規制装置。
【請求項４】
発電された電力を外部に出力するための導線を更に備えている、請求項２又は３に記載の動線規制装置。
【請求項５】
照明、情報表示ディスプレイ、リセットボタン、スタートボタン、レシートプリンタの少なくとも１つを更に備える、請求項１から４の何れか一項に記載の動線規制装置。
【請求項６】
前記発電機によって発電された電力を貯めるためのバッテリを更に備える、請求項２から５の何れか一項に記載の動線規制装置。
【請求項７】
前記作用部材は、回転運動、直線運動又は回転運動と直線運動の合成運動を引き起こすものである、請求項１から６の何れか一項に記載の動線規制装置。
【請求項８】
動線規制システムであって、請求項１から７の何れか一項に記載の少なくとも２つの動線規制装置と、前記動線規制装置に接続された制御部と、前記各動線規制装置に対応して前記制御部に接続された少なくとも２つの照明と、前記制御部に接続されて各動線規制装置の発電状況を表示するモニターと、を備えている動線規制システム。
【考案の詳細な説明】
【技術分野】
【０００１】
本考案は、動線規制装置に係り、特に、テーマパークやイベント会場等の多くの人が集まる場所において、人々の動線を規制する動線規制装置に関するものである。
【背景技術】
【０００２】
テーマパークやイベント会場など、多くの人が集まる場所では、人々の動線を規制して、行列を形成することが一般的に行われている。このような動線を規制するものとして、図６（Ａ）に示すような、ポールを用いた動線規制装置１０１が提案されている（特許文献１参照）。これは、台座から支柱を立ち上がらせ、支柱の上部にロープ等のパーティング材の端掛具を掛ける掛止片を突設し、台座にスタッキング用の切欠部を形成した動線規制装置用スタンドにおいて、前記掛止片を支柱に介在する環状部から延出し、支柱を環状部の下方の下柱部と上方の上柱部とから構成し、下柱部と上柱部とを、台座に対して支柱の軸線周りに非回転に固定し、掛止片を環状部と共に、下柱部と上柱部に対して支柱の軸線周りに回転自在としたものである。
【０００３】
上述のパーティング材としてのロープの代わりに、図６（Ｂ）に示すような、ベルト式の動線規制装置も用いられている。また、テーマパークなどにおいては、行列が形成される場所が予め特定されているため、半固定式或いは固定式の動線規制装置も用いられている。図７（Ａ）は半固定式の動線規制装置１０５の一例を示している。この図に示すように、地面に予め穴１０５ａが形成されており、動線規制用のポール１０５ｂを必要に応じて穴に差し込んで、動線規制装置１０５を構成するものである。更に、図７（Ｂ）は固定式の動線規制装置１０７の一例を示している。この固定式の動線規制装置１０７は、テーマパークのアトラクションの入口などに設置されるものであり、柵のような構造物となっている。これらの動線規制装置は、パーテションと呼ばれる場合もある。
【先行技術文献】
【特許文献】
【０００４】
【特許文献１】特開２０１３−１８９７４６号
【考案の概要】
【考案が解決しようとする課題】
【０００５】
ところで、テーマパークなどにおいては、アトラクションの順番を待つ人々が、動線規制装置に沿って長い行列を形成することも珍しくない。特に、人気のあるアトラクションの場合には、２時間や３時間の待ち時間となる場合もある。このとき、動線規制装置は、行列を形成すること以外に特別な機能を有していない。このため、特に小さな子供達が待ちくたびれてしまうことも多い。
【０００６】
そこで、本願考案は、これまで無駄に過ごしていた待ち時間を利用して、発電をすることができる動線規制装置を提供することを、その目的とする。
【課題を解決するための手段】
【０００７】
本願考案は上記課題に鑑みてなされたものであって、第１手段は、動線規制装置が、発電用の作用力を受けるための作用部材を備えている、という構成を採っている。
【０００８】
第２手段は、第１手段の構成に加え、作用力により発電する発電機を更に備えている、という構成を採っている。
【０００９】
第３手段は、第２手段の構成に加え、発電機は作用部材内に設けられている、という構成を採っている。
【００１０】
第４手段は、第２手段又は第３手段の構成に加え、発電された電力を外部に出力するための導線を更に備えている、という構成を採っている。
【００１１】
第５手段は、第１手段から第４手段の何れかの構成に加え、照明、情報表示ディスプレイ、リセットボタン、スタートボタン、レシートプリンタの少なくとも１つを更に備える、という構成を採っている。
【００１２】
第６手段は、第２手段から第５手段の何れかの構成に加え、発電機によって発電された電力を貯めるためのバッテリを更に備える、という構成を採っている。
【００１３】
第７手段は、第１手段から第６手段の何れかの構成に加え、作用部材は、回転運動、直線運動又は回転運動と直線運動の合成運動を引き起こすものである、という構成を採っている。
【００１４】
更に、第８手段は、動線規制システムであって、第１手段から第７手段の何れかに記載の少なくとも２つの動線規制装置と、動線規制装置に接続された制御部と、各動線規制装置に対応して制御部に接続された少なくとも２つの照明と、制御部に接続されて各動線規制装置の発電状況を表示するモニターとを備えている、という構成を採っている。
【考案の効果】
【００１５】
かかる本願考案によれば、例えば、これまで無駄に過ごしていた待ち時間を利用して発電することができ、同時に人々の環境意識を高めることも可能となる。
【図面の簡単な説明】
【００１６】
【図１】本考案の一実施形態に係る動線規制装置を示す図であり、図１（Ａ）は作用部材を示し、図１（Ｂ）は全体概要を示す。
【図２】図１に開示した動線規制装置の内部構造を示す図である。
【図３】図１に開示した動線規制装置に、照明等の構成要素が追加された実施形態を示す図である。
【図４】作用部材の変形例を示す図であり、図４（Ａ）はハサミ構造の作用部材であり、図４（Ｂ）は押し引き構造の作用部材である。
【図５】図１に開示した動線規制装置を備える、動線規制システムを示すブロック図である。
【図６】従来の動線規制装置を示す図であり、図６（Ａ）はベルト式の動線規制装置を示し、図６（Ｂ）はロープ式の動線規制装置を示す。
【図７】従来の動線規制装置の他の例を示す図であり、図７（Ａ）は半固定式の動線規制装置を示し、図７（Ｂ）は固定式の動線規制装置を示す。
【考案を実施するための形態】
【００１７】
以下、本願考案の一実施形態に係る動線規制装置について、図面を参照しながら説明する。
【００１８】
図１は、本考案の一実施形態に係る動線規制装置１を示す図である。本実施形態に係る動線規制装置１では、発電用の作用力を受けるための作用部材３を備えている点が、考案の特徴の一つである。以下詳細に説明する。
【００１９】
［パーテションポール］
図１（Ｂ）に示すように、動線規制装置１は、パーテションポール５と、このパーテションポール５の上端部に設けられた作用部材３とを備えている。パーテションポール５は、円柱状のポールであり、約１ｍ程度の高さを有している。パーテションポール５の上部側面には、出入自在のパーテションベルト７と、このパーテションベルト７の端部を受け入れるベルト固定部９を有している。図１（Ｂ）の例では、左側のパーテションポール５からパーテションベルト７が引き出され、中央のパーテションポール５のベルト固定部９にパーテションベルト７の端部が固定されるようになっている。これにより、パーテションポール５の間にパーテションベルト７が張られて、動線を規制することができる。
【００２０】
本実施形態のパーテションポール５は、地面に形成された穴１１に差し込む形式のものである。すなわち、半固定式のパーテションポール５である。この半固定式のパーテションポール５は、行列ができた時に初めて設置されるものであり、通常は別の場所に保管されている。そして、行列ができた場合に、作業者がパーテションポール５を地面の穴１１に差し込み、パーテションポール５の間にパーテションベルト７を張って、動線を規制するのである。図１（Ｂ）ではパーテションポール５が一直線上に配置されているが、本考案はこれに限定されるものでは無い。すなわち、動線が蛇行するように動線規制装置１を設置してもよい。
【００２１】
［作用部材］
次に、図１（Ａ）に基づいて作用部材について説明する。作用部材３は、発電のための作用力を受けるための部材である。本実施形態の作用部材３は、円盤状の回転ローラである。この作用部材３を回転させることで、発電のための作用力が発生する。作用部材３は、パーテションポール５の上端部に設けられた軸受部材４に回転自在に軸支されている。なお、作用部材３は円盤状の部材に限定されるものでは無く、例えば球状の部材であってもよい。
【００２２】
図２は、作用部材３とパーテションポール５の内部構造を示す図である。この図に示すように、作用部材３には第１プーリ１３が固定されており、この第１プーリ１３が作用部材３と同期して回転するようになっている。また、パーテションポール５内には、発電機１５が設置されている。この発電機１５は、具体的には発電用モータである。そして、発電機１５の回転軸には第２プーリ１７が取り付けられている。そして、第１プーリ１３と第２プーリ１７の間にＶベルト１９が張られている。このため、作用部材３と共に第１プーリ１３が回転すると、この作用力がＶベルト１９によって第２プーリ１７に伝達される。そして、第２プーリ１７に伝達された作用力によって発電機１５が回転して、発電をすることができる。発電機１５には発電された電力を外部に出力するための導線２１が接続されている。
【００２３】
なお、以上の説明は、発電機１５がパーテションポール５の内部に設置されている実施形態についてのものである。しかしながら、本考案はこれに限定されるものでは無い。すなわち、発電機１５がパーテションポール５内に存在することは必須ではない。例えば、発電機１５を作用部材３の内部に収容してもよい。そうすることで、上記のようなプーリ１３，１７やＶベルト１９は不要となる。一方、作用力を、パーテションポール５を介して外部に伝達し、その外部に設置された発電機（図示略）を駆動することで、発電することも可能である。但し、この場合にはパーテションポール５から外部に作用力を伝達するための、作用力伝達機構が必要となる。
【００２４】
［追加構成要素］
次に、図３に基づいて、パーテションポール５に設けられた、照明２３、情報表示ディスプレイ２５、リセットボタン２７、スタートボタン２９、レシートプリンタ３１などの、追加構成要素について説明する。これらの追加構成要素は、本願考案に必須なものではないが、設けることが望ましいものである。まず、照明２３について説明する。照明２３は、発電機によって生成された電力によって点灯するようになっている。すなわち、使用者が作用部材３に作用力を付与すると、発電機が電力を発生する。発生した電力は照明２３に伝達されて、照明２３が点灯するようになっている。このような構成を採ることで、使用者は直接発電をしていることを実感することができる。なお、図示した照明は一例としてパーテションポールから突出して配置されているが、パーテションポールに埋め込んで、パーテションポールから突出しないようにしてもよい。
【００２５】
次に、情報表示ディスプレイ２５について説明する。情報表示ディスプレイ２５は、動線規制装置１Ａの様々な状態を表示できるようになっている。例えば、発電中であれば発電量を表示したり、発電継続時間やＣＯ２削減量などを表示することができる。図３の例では、発電量を表示しているが、表示する情報を一定時間毎に切り替えて表示するようにしてもよい。次に、リセットボタン２７について説明する。リセットボタン２７は、使用者が変わる場合に動線規制装置１Ａの状態をリセットするためのものである。これにより、発電時間、総発電量やＣＯ２削減量などの情報がリセットされる。また、このリセットボタン２７は、後述するレシートプリンタ３１の動作を制御するための機能を併せ持っている。
【００２６】
次に、スタートボタン２９について説明する。スタートボタン２９は、発電を開始する時に操作するボタンである。すなわち、このスタートボタン２９を押すと、それ以後の発電量やＣＯ２削減量が積算されるようになっている。次に、レシートプリンタ３１について説明する。レシートプリンタ３１は、発電に関する情報を印刷するためのものである。印刷する情報の具体例としては、発電機ＩＤ番号、日時、発電時間、総発電量、ＣＯ２削減量、今日の順位などである。ここで、今日の順位とは、今日発電した人のうち、発電量での順位である。
【００２７】
レシートプリンタ３１によって印刷されたレシート３１ａは、様々な利用価値がある。すなわち、発電をした人が発電量やＣＯ２削減量を確認できるのはもちろん、テーマパークなどにおいては発電量に応じてお土産をプレゼントしたり、飲食店などの場合には割引チケットを進呈するなどが考えられる。このようなサービスを付加することで、発電することに対する動機付けをすることができる。なお、上述の追加構成要素は、１台の動線規制装置１Ａに装備されている。しかしながら、本考案はこれに限定されるものではなく、複数台の動線規制装置に対して１つの情報表示ディスプレイ等を装備するようにしてもよい。すなわち、複数台の動線規制装置で１つの追加構成要素を共用するということである。こうすることで、動線規制装置１Ａのコストの上昇を最小限に抑えることができる。
【００２８】
また、動線規制装置にバッテリを設けることも望ましい。バッテリを設けることで、発電された電力を貯めることができ、発電をしていない状態でも必要に応じて電力を利用することができるからである。
【００２９】
［作用部材の変形例］
次に、図４に基づいて、作用部材の変形例について説明する。上述の作用部材は円盤状のものであったが、図４（Ａ）はハサミ構造の作用部材３Ｂを示している。このハサミ構造の作用部材３Ｂは、２本の把持部材３Ｂ１，３Ｂ２からなり、これらを互いに近接離間させることで作用力を発生させるものである。具体的には、２本の把持部材３Ｂ１，３Ｂ２を近接させる場合には、使用者の握力で作用力を付与し、逆に２本の把持部材３Ｂ１，３Ｂ２を離間させる場合には、圧縮バネ（図示略）のバネ力を利用する。図４（Ａ）の例では、作用部材３Ｂ内にこの圧縮バネが装備されている。
【００３０】
図４（Ｂ）は、押し引き構造の作用部材３Ｃを示している。この押し引き構造の作用部材は、自転車の空気入れにように、把持部３Ｃ１と押し軸３Ｃ２とからなり、使用者が把持部を把持してパーテションポール５に対して押し引き運動を付与するものである。パーテションポール５内では、押し引き運動が回転運動に変換されて、発電機に伝達されるようになっている。なお、上述の作用部材の変形例３Ｂ，３Ｃはあくまでも一例であり、作用力を付与できるものであれば、どのような構造を用いてもよい。本実施形態の作用部材は、回転運動や直線運動を生成できるものであるが、発電機に回転運動を伝達できるものであれば、回転運動と直線運動を合成した運動を生成できるものであってもよい。
【００３１】
次に、図５を参照しながら、上述の動線規制装置を備えた動線規制システム５１について説明する。この動線規制システム５１は、少なくとも２つの動線規制装置（図では３つ）１Ａ，１Ｂ，１Ｃと、動線規制装置１Ａ，１Ｂ，１Ｃに接続された制御部５３と、各動線規制装置１Ａ，１Ｂ，１Ｃに対応して制御部５３に接続された少なくとも２つの照明（図では３つ）２３Ａ，２３Ｂ，２３Ｃと、制御部５３に接続されて各動線規制装置１Ａ，１Ｂ，１Ｃの発電状況を表示するモニター５５とを有している。以下、詳細に説明する。
【００３２】
本実施形態の動線規制システム５１で用いられる動線規制装置１Ａ，１Ｂ，１Ｃは、既に説明したものと同一である。このため、詳しい説明は省略する。但し、本動線規制システム５１では、複数の動線規制装置１Ａ，１Ｂ，１Ｃが設けられている。各動線規制装置１Ａ，１Ｂ，１Ｃは制御部５３に接続されている。制御部５３には更に、各動線規制装置に対応した照明２３Ａ，２３Ｂ，２３Ｃが設けられている。そして、それぞれの動線規制装置１Ａ，１Ｂ，１Ｃで発電された電力は、対応する照明２３Ａ，２３Ｂ，２３Ｃにそれぞれ供給されるようになっている。また、制御部５３にはモニター５５が接続されている。このモニター５５は、各動線規制装置１Ａ，１Ｂ，１Ｃの発電状況を表示するためのものである。図示の例では、各動線規制装置１Ａ，１Ｂ，１ＣのＩＤ番号、発電量、ＣＯ２削減量が表示されている。但し、表示する情報はこれらに限定されるものではなく、発電量の順位や電気料金に換算した金額などを表示するようにしてもよい。
【００３３】
なお、以上の説明では、それぞれの特徴部分について、相互に関連付けて説明した。このため、各特徴部分を組み合わせることで、特別な技術的効果を奏する考案が成立する。一方で、上記各特徴部分は、それ単独でも一つの考案として成立する。このため、本願が想定する考案は、必ずしも複数の特徴部分を組み合わせた考案に限定されるものではなく、各特徴部分単独あるいは各特徴部分の任意の組み合わせでも、本考案を構成することができるということである。
【符号の説明】
【００３４】
１，１Ａ、１Ｂ，１Ｃ  動線規制装置
３，３Ｂ，３Ｃ  作用部材
５  パーテションポール
１５  発電機
２１  導線
２３，２３Ａ，２３Ｂ，２３Ｃ  照明
２５  情報表示ディスプレイ
２７  リセットボタン
２９  スタートボタン
３１  レシートプリンタ
５１  導線規制システム
５３  制御部
５５  モニター
【図１】
0003216333.tif 000003
【図２】
0003216333.tif 000004
【図３】
0003216333.tif 000005
【図４】
0003216333.tif 000006
【図５】
0003216333.tif 000007
【図６】
0003216333.tif 000008
【図７】
0003216333.tif 000009
【手続補正書】
【提出日】平成30年1月15日(2018.1.15)
【手続補正１】
【補正対象書類名】実用新案登録請求の範囲
【補正対象項目名】全文
【補正方法】変更
【補正の内容】
【実用新案登録請求の範囲】
【請求項１】
人の動線を規制するためのパーテションポールと、
前記パーテションポールに設置されて、発電用の作用力を受けるための作用部材を備えている、動線規制装置。
【請求項２】
前記作用部材が受けた作用力により発電する発電機を更に備えている、請求項１に記載の動線規制装置。
【請求項３】
前記発電機は前記作用部材内に設けられている、請求項２に記載の動線規制装置。
【請求項４】
前記発電機によって発電された電力を外部に出力するための導線を更に備えている、請求項２又は３に記載の動線規制装置。
【請求項５】
前記発電機に接続される照明、情報表示ディスプレイ、リセットボタン、スタートボタン、レシートプリンタの少なくとも１つを更に備える、請求項２から４の何れか一項に記載の動線規制装置。
【請求項６】
前記発電機に接続され、発電された電力を貯めるためのバッテリを更に備える、請求項２から５の何れか一項に記載の動線規制装置。
【請求項７】
動線規制システムであって、請求項１から６の何れか一項に記載の少なくとも２つの動線規制装置と、前記動線規制装置に接続された制御部と、前記各動線規制装置に対応して前記制御部に接続された少なくとも２つの照明と、前記制御部に接続されて各動線規制装置の発電状況を表示するモニターと、を備えている動線規制システム。